(57)【要約】【課題】設置面積の縮小化を可能とし、電子機器などの各種機器の利便性を高める。【解決手段】第１のケース（４）と第２のケース（６）とを備え、第１のケースは、傾斜面部（８）に連結軸部（１０）を備え、第１の部材（アダプタ本体１８、ＡＣ／ＤＣコンバータ５４）が収納され、第２のケースは、第１のケースの傾斜面部と平行に傾斜面部（１２）を備え、連結軸部を介して第１のケースと連結され、第１の部材と接続された第２の部材（ＤＣケーブル２２）が挿通する。機器ケースまたは電子機器は横置きまたは縦置きが可能であり、設置形態によって設置面積を縮小化できる。【選択図】図１
2012185909.tif 000002
【特許請求の範囲】
【請求項１】
傾斜面部に連結軸部を備え、第１の部材が収納される第１のケースと、
前記傾斜面部と平行に傾斜面部を備え、前記連結軸部を介して前記第１のケースと連結され、前記第１の部材と接続された第２の部材が挿通する第２のケースと、
を備えることを特徴とする、機器ケース。
【請求項２】
前記連結軸部は、前記第１のケース又は前記第２のケースに設けられた回転軸または該回転軸を支持する軸受部であることを特徴とする、請求項１に記載の機器ケース。
【請求項３】
前記第１のケース又は前記第２のケースは、前記傾斜面部と４５度又は該４５度を含む角度範囲の傾斜角度を設定した着座面を備えることを特徴とする、請求項１又は２に記載の機器ケース。
【請求項４】
前記連結軸部は、前記第１の部材または前記第２の部材が挿通する中空軸部を備えることを特徴とする、請求項１ないし３の何れかに記載の機器ケース。
【請求項５】
機器本体と、
前記機器本体と接続されたケーブルと、
傾斜面部に連結軸部を備え、前記機器本体が収納される第１のケースと、
前記傾斜面部と平行に傾斜面部を備え、前記連結軸部を介して前記第１のケースと回転可能に連結され、前記ケーブルが挿通する第２のケースと、
を備えることを特徴とする、電子機器。
【請求項６】
前記機器本体は、交流を変圧する変圧手段、前記交流又は前記変圧手段で変圧された交流を整流する整流手段、または変動成分を平滑する平滑手段の何れかまたはこれらの２以上を備えることを特徴とする、請求項５に記載の電子機器。
【発明の詳細な説明】
【技術分野】
【０００１】
本発明は、ＡＣアダプタなどの機器を収納するケース、該ケースを含む電子機器などの外装技術に関する。
【背景技術】
【０００２】
ノートＰＣ（パーソナルコンピュータ）や、携帯端末装置などのモバイル機器には、ＡＣ（Alternating Current : 交流) アダプタなどの電子機器が併用される。たとえば、ＡＣアダプタでは、直方体などの立体からなるアダプタ本体に加え、ＡＣケーブルやＤＣケーブルが備えられている。ＡＣアダプタを使用する場合、ＡＣケーブルにあるＡＣプラグをテーブルタップや壁面コンセントに接続し、ＤＣケーブルをノートＰＣやモバイル機器にプラグ接続する。机上でノートＰＣやモバイル機器を使用する場合には、ＡＣアダプタ本体とともにＡＣケーブルやＤＣケーブルを机上に這わせている。
【０００３】
ケーブルを備える接続具に関し、ケーブルを挿通した回転筒体がプラグ側の基部に取り付けられ、回転筒体の回転によってケーブルの引き出し形態を変更するものが知られている（たとえば、特許文献１）。
【０００４】
また、機器の外観形態に関し、回転によってグリップと撮像部を直線状態または直角状態に変更するものが知られている（たとえば、特許文献２）。
【先行技術文献】
【特許文献】
【０００５】
【特許文献１】特開２０１０−１０８６３４号公報
【特許文献２】特開２００１−２６８４１１号公報
【発明の概要】
【発明が解決しようとする課題】
【０００６】
ところで、机上にノートＰＣやモバイル機器とともにＡＣアダプタが設置された場合、ＡＣアダプタや引き回されるケーブルに机上の使用可能な面積が奪われる。ノートＰＣやモバイル機器が小型化されるほど、机上で併用されるＡＣアダプタなどの占有面積の比率は大きくなる。複数のノートＰＣやモバイル機器が使用される場合には、ノートＰＣやモバイル機器ごとにＡＣアダプタが必要となり、その設置面積は数倍となるうえ、長いＡＣケーブルやＤＣケーブルを結束しても机上では乱雑な状態となる。
【０００７】
そこで、本開示の機器ケースおよび電子機器の目的は、上記課題に鑑み、設置面積の縮小化を可能とし、電子機器などの各種機器の利便性を高めることにある。
【課題を解決するための手段】
【０００８】
上記目的を達成するため、本開示の機器ケースまたは電子機器は、第１のケースと第２のケースとを備える。第１のケースは、傾斜面部に連結軸部を備え、第１の部材が収納される。第２のケースは、第１のケースの傾斜面部と平行に傾斜面部を備え、前記連結軸部を介して前記第１のケースと連結され、前記第１の部材と接続された第２の部材が挿通する。斯かる構成により、機器ケースまたは電子機器は横置きまたは縦置きが可能であり、設置形態によって設置面積を縮小化できる。
【発明の効果】
【０００９】
本開示の機器ケースまたは電子機器によれば、次のいずれかの効果が得られる。
【００１０】
(1) 第１のケースまたは第２のケースの回転により、縦置きまたは横置きに設置形態を変更でき、設置形態によって設置面積を縮小化でき、電子機器などの各種機器の利便性を高めることができる。
【００１１】
(2) ケーブルなどの部材を第１または第２のケースに収納でき、整理できる。
【００１２】
そして、本発明の他の目的、特徴および利点は、添付図面および各実施の形態を参照することにより、一層明確になるであろう。
【図面の簡単な説明】
【００１３】
【図１】第１の実施の形態に係る機器ケースの一例を示す斜視図である。
【図２】縦置き状態の機器ケースを示す斜視図である。
【図３】機器ケースの横置きおよび縦置きの各設置面積を示す図である。
【図４】機器ケースの垂直断面を示す断面図である。
【図５】機器ケースの連結回転機構部を分解して示す分解断面図である。
【図６】ＡＣアダプタ回路の一例を示す図である。
【図７】機器ケースの使用形態を示す図である。
【図８】第２の実施の形態に係る開閉蓋を備えた機器ケースの一例を示す図である。
【図９】第３の実施の形態に係る連結回転機構部の一例を示す断面図である。
【図１０】第４の実施の形態に係る回転ロック機構を備える機器ケースの一例を示す斜視図である。
【図１１】回転ロック機構によるロック状態を示す斜視図である。
【図１２】第５の実施の形態に係る連結機構を備える機器ケースの一例を示す斜視図である。
【図１３】第６の実施の形態に係る電子機器の一例を示す断面図である。
【図１４】他の実施の形態に係る機器ケースの一例を示す断面図である。
【図１５】他の実施の形態に係る機器ケースの一例を示す断面図である。
【発明を実施するための形態】
【００１４】
〔第１の実施の形態〕
【００１５】
第１の実施の形態について図１を参照する。図１は機器ケースの一例を示している。図１に示す構成は一例であり、斯かる構成に本発明が限定されるものではない。
【００１６】
この機器ケース２は、本開示の機器ケースの一例であって、第１のケース４と第２のケース６とを備えている。これらケース４、６はたとえば、ポリエチレンテレフタレート（Polyethylene Terephthalate：ＰＥＴ）などの絶縁性合成樹脂で成形加工されている。
【００１７】
ケース４にはケース６との対向面側に傾斜面部８が備えられ、この傾斜面部８にはケース６との連結軸部１０が備えられている。ケース６には、ケース４の傾斜面部８と平行に傾斜面部１２が備えられている。各ケース４、６は、傾斜面部８、１２を平行に対向させ、連結軸部１０を介して連結され、傾斜面部８、１２を摺動面にして回転可能である。つまり、ケース４、６間は連結回転機構部によって回転可能である。
【００１８】
ケース４の収納空間１４には、第１の部材としてたとえば、ＡＣアダプタ１６のＡＣアダプタ本体１８が収納されている。ＡＣアダプタ１６はたとえば、直方体状のＡＣアダプタ本体１８と、ＡＣアダプタ本体１８に接続されたＡＣケーブル２０と、ＡＣアダプタ本体１８に接続されたＤＣケーブル２２とを備えている。ＡＣケーブル２０はケース４の挿通孔２４からケース外に引き出され、その先端部にＡＣプラグ２６を備えている。ＤＣケーブル２２は第２の部材の一例であって、連結軸部１０の挿通孔２８を通してケース６の収納空間２７に収納し且つ通過させて挿通孔３０から引き出されている。このＤＣケーブル２２は先端部にＤＣプラグ３２を備えている。各挿通孔２４、３０にはＡＣケーブル２０やＤＣケーブル２２を防護する防護手段の一例として防護リング２５が設置されている。
【００１９】
ケース４には着座面部の一例として平坦な面部３４、３６が備えられ、ケース６には着座面部の一例である面部３８が備えられている。この面部３８には着座パッド４０が備えられ、面部３４、３６にも同様の着座パッドを備えてもよい。
【００２０】
斯かる構成によれば、機器ケース２は、図１に示す横置きからケース６を１８０〔度〕回転させ、図２に示すように、縦置き（直立）で使用できる。横置き状態では、面部３４と平行面（面部３６と連続面）であった面部３８が各面部３４、３６と直交方向に配置される。この縦置きでは、機器ケース２の長手方向の端面にある、ケース６の面部３８に着座面部が変更される。この場合、ケース６の１８０〔度〕の回転に応じて、ＡＣケーブル２０に対してＤＣケーブル２２の配線方向は交差方向としてたとえば、９０〔度〕に変更することができる。図２に示す状態で機器ケース２を横置きとすれば、機器ケース２の上面からＤＣケーブル２２を引き出すことができる。
【００２１】
この機器ケース２について、横置き状態（図１）を基準に長さをＬ、幅をＷおよび高さをＨとすれば、各面部３４、３６、３８の面積は、面部３４が長さＬ×幅Ｗ、面部３６が長さ（Ｌ−Ｈ）×幅Ｗ、面部３８が幅Ｗ×高さＨで表すことができる。
【００２２】
ケース６の面部３８を用いて機器ケース２を縦置きとすれば、図３に示すように、横置き状態の載置面積Ａ（＝面部３４の面積＝長さＬ×幅Ｗ）から縦置き状態の載置面積Ｂ（＝面部３８の面積＝幅Ｗ×高さＨ）に変更され、設置面積が大幅に縮小化できる。しかも、ＤＣケーブル２２の引出し方向が変更され、ＤＣケーブル２２やＡＣケーブル２０のケーブル配置の自由度を高めることができる。
【００２３】
次に、この機器ケース２について図４を参照する。図４は横置き状態の機器ケースの縦断面を示している。
【００２４】
図４に示す機器ケース２はたとえば、直方体の容器を傾斜面部８、１２で傾斜角度θたとえば、θ＝４５〔度〕で二つにカットした形態のケース４、６を備えている。ケース４は下辺を面部３４（長さＬ×幅Ｗ）、上辺を面部３６〔長さ（Ｌ−Ｈ）×幅Ｗ〕、中心軸Ｏ1 （図４）と直交する高さＨの面部４２、傾斜面部８を備えた台形筒体である。また、ケース６は、面部３８（高さＨ×幅Ｗ）と同等の面部４４を２辺に備えるとともに、傾斜面部１０を斜辺に備えた直角２等辺３角形の筒状体である。傾斜面部８、１２は、機器ケース２の中心軸Ｏ1 と傾斜角度θたとえば、θ＝４５〔度〕の角度を成している。この実施の形態では、中心軸Ｏ1 と面部３４、３６が平行であるから、傾斜面部８、１２は、面部３４、３６に対してθ＝４５〔度〕の傾斜角度を持っている。
【００２５】
傾斜面部８、１２には既述の連結軸部１０が備えられている。この連結軸部１０は、中空軸部４６と、軸受部４８とが備えられ、この実施の形態では、中空軸部４６が傾斜面部８に形成され、軸受部４８が傾斜面部１２に形成されている。中空軸部４６は、回転軸の一例であって、既述のＤＣケーブル２２が挿通する挿通孔２８が形成されている。この挿通孔２８は一例として円形であるが、矩形であってもよい。
【００２６】
次に、ケース４、６の連結機構部について、図５を参照する。図５は連結軸部の構成例を示している。図５に示すように、中空軸部４６の突出長ｔ1 はケース６の傾斜面部１２の肉厚ｔ2 （＜ｔ1 ）より大きく設定されている。また、中空軸部４６の外径φ1 は、軸受部４８の内径φ2 （＞φ1 ）より僅かに小さく設定されている。
【００２７】
また、中空軸部４６の先端にはフランジ部５０が形成され、このフランジ部５０の外径φ3 は軸受部４８の内径φ2 （＜φ3 ）より大きく設定されている。すなわち、フランジ部５０は、軸受部４８を貫通してケース６に挿入された中空軸部４６の抜止めを構成している。したがって、軸受部４８と、この軸受部４８に挿入された中空軸部４６とからなる連結軸部１０を以て結合されたケース４、６は、脱落することなく、また、がたつくことなく、傾斜面８、１２を摺動面として中心軸Ｏ2 を中心に回転をさせることができる。しかも、回転の安定化が図られる。
【００２８】
ケース６には傾斜面部１２と既述の傾斜角度θで交差する面部３８と、直交する面部４４が備えられている。面部３８側には既述のパット４０が備えられ、面部４４には挿通孔３０が備えられている。
【００２９】
次に、ＡＣアダプタ１６について図６を参照する。図６はＡＣアダプタ回路の一例を示している。
【００３０】
このＡＣアダプタ１６はたとえば、商用交流をノートＰＣなどの電子機器の駆動電源に必要な直流に変換するＡＣ／ＤＣコンバータである。ＡＣアダプタ本体１８には、図６に示すＡＣ／ＤＣコンバータ回路５４が備えられている。
【００３１】
このＡＣ／ＤＣコンバータ回路５４には交流入力側に変圧手段の一例であるトランス５６が備えられ、このトランス５６で商用交流電圧ＶACが、所望の直流電圧を生成するための交流電圧値に変圧（たとえば、降圧）される。このトランス５６の変圧出力は整流回路５８に加えられ、整流される。この整流回路５８はたとえば、全波整流回路で構成され、この実施の形態では、４個のダイオード６０のブリッジ回路で構成されている。整流回路５８は半波整流回路で構成されてもよい。この整流回路５８の整流出力は平滑手段の一例である平滑回路６２に加えられ、整流出力中の変動成分が平滑され、直流電圧ＶDCが出力される。この平滑回路６２はチョークコイル６４およびキャパシタ６６からなる低域通過フィルタで構成されているが、抵抗およびキャパシタからなる積分回路を用いてもよい。
【００３２】
そして、このＡＣアダプタ１６を収納した機器ケース２は、図７のＡに示すように、ノートＰＣ６８に隣接して横置きで使用することができる。機器ケース２の長手方向の端面に配置された挿通孔３０からＤＣケーブル２２が引き出され、このＤＣケーブル２２にあるＤＣプラグ３２をノートＰＣ６８の給電プラグ７０に接続する。
【００３３】
また、ケース６を１８０〔度〕回転させると、面部３８をケース４の長手方向の端面に変更できる。この場合、図７のＢに示すように、機器ケース２を面部３８を用いて縦置き状態とすることができ、機器ケース２の側面に配置された挿通孔３０からＤＣケーブル２２が引き出される。このＤＣケーブル２２のＤＣプラグ３２をノートＰＣ６８の給電プラグ７０に接続する。
【００３４】
このように機器ケース２はケース６の回転によって横置きから縦置きに容易に変更することができ、図３に示すように、横置きの設置面積Ａに対し、縦置きの設置面積Ｂに大幅に縮小することができる。すなわち、機器ケース２を用いれば、収納した機器の利便性がより高められる。
【００３５】
また、ケース４、６のいずれを回転しても、ケース４、６にＡＣケーブル２０やＤＣケーブル２２が固定されていないので、各ケーブル２０、２２に無用な捻転や機械的な応力などの負荷を最小限に抑えることができる。
【００３６】
また、ＤＣケーブル２２が長い場合には、手繰り寄せたＤＣケーブル２２や結束したＤＣケーブル２２をケース６内に収容し、機器ケース２から露出するＤＣケーブル２２の実用長を短くすることができる。また、ＡＣケーブル２０にあっても、ケース４内に結束して挿入し、実用長を短く設定することもできる。これらにより、設置面積の縮小化に加え、机上のケーブル２０、２２の占有面積を短縮でき、各ケーブル２０、２２の最短化を図ることができる。したがって、面積の小さい面部３８を用いて直立させることができるので、ＡＣアダプタなどの電子機器の省スペース化に加え、使用環境に合わせた横置きまたは縦置きの選択など、設置形態の自由度が増し、利便性を向上することができる。
【００３７】
〔第２の実施の形態〕
【００３８】
次に、開閉蓋を備えた機器ケース２について図８を参照する。図８は開閉蓋を備えた機器ケースの一例を示している。図８において、図１、図４と同一部分には同一符号を付してある。
【００３９】
図８のＡに示す機器ケース２では、ケース４に開閉可能に開閉蓋７２とともに、窓部として挿入口７４が形成されている。この実施の形態では、面部３６を開閉蓋７２にし、開閉蓋７２はケース４の側壁７６との間に複数のヒンジ部７８を備えて開閉可能である。
【００４０】
開閉蓋７２には、ケース４を閉じた際に、ケース４の面部４２に重ねられる立壁８０が形成されている。この立壁８０には既述の挿通孔２４を形成するためのＵ字形の切欠部８２が形成されている。この切欠部８２に対応し、ケース４の面部４２側の側壁８４にも既述の挿通孔２４を形成するためのＵ字形の切欠部８６が形成されている。これら切欠部８２、８６の重ね合わせにより、既述の挿通孔２４が面部４２すなわち、立壁８０および側壁８４により形成され、防護リング２５は切欠部８２、８６の部分で立壁８０と側壁８４とで挟み込まれて取り付けられる。
【００４１】
また、開閉蓋７２の縁部と側壁８８との間にはロック機構９０が備えられている。一例であるロック機構９０は、ケース４の側壁８８に設けられた凹部９２内の係止突部９４と、開閉蓋７２側に形成された係合部９６とを備える。ロック時、係合部９６は凹部９２内に挿入され、係止突部９４と係合する。
【００４２】
斯かる構成の機器ケース２では、図８のＡに示すように、ケース４の開閉蓋７２を開け、ＡＣアダプタ１６のＡＣケーブル２０に防護リング２５を取り付け、この防護リング２５とともにＡＣケーブル２０を側壁８４側の切欠部８６に設置する。ＤＣケーブル２２はケース４の収納空間１４側から連結軸部１０の挿通孔２８を経てケース６の収納空間２７に挿通させ、ケース６の挿通孔３０から引き出す。そして、収納空間１４にＡＣアダプタ本体１８を収納して開閉蓋７２を閉じ、ロック機構９０によってロックする。
【００４３】
このロック機構９０では図８のＢに示すように、凹部９２に係合部９６を挿入し、この係合部９６と係止突部９４とを係合させる。これにより、開閉蓋７２はケース４の側壁８８にロックされ、側壁８８と一体化される。
【００４４】
斯かる構成によれば、機器ケース２の開閉蓋７２を開くことにより、挿入口７４からＡＣアダプタ１６のアダプタ本体１８をケース４に収納するとともに、ＡＣケーブル２０やＤＣケーブル２２を挿通させることができる。また、開閉蓋７２を閉じてロック機構９０で開閉蓋７２を閉状態にロックすることができ、機器ケース２内にＡＣアダプタ１６のアダプタ本体１８を維持し、防護することができる。しかも、既述のとおり、機器ケース２によってＡＣアダプタ１６を横置きまたは縦置きに設置形態を変更することができる。
【００４５】
〔第３の実施の形態〕
【００４６】
第３の実施の形態に係る連結回転機構部について、図９を参照する。図９は第３の実施の形態に係る連結機構部の一例を示している。図９において、図５と同一部分には同一符号を付してある。
【００４７】
図５に示す連結軸部１０では、ケース４側に中空軸部４６を備えているが、図９に示すように、ケース４側に軸受部４８を形成し、ケース６側に中空軸部４６を備える構成としてもよい。
【００４８】
斯かる構成によっても、ケース４、６は脱落することなく、傾斜面部８、１２を摺動面として中心軸Ｏ2 を中心に回転させることができる。
【００４９】
〔第４の実施の形態〕
【００５０】
ケース４の回転防止について、図１０を参照する。図１０は回転ロック機構を備えた機器ケースを示している。図１０において、図１と同一部分には同一符号を付してある。
【００５１】
図１０に示すように、回転可能なケース４、６間に回転を防止する回転防止機構、または所定位置に係止させるストッパ機構として回転ロック機構９８を備えた構成としてもよい。この回転ロック機構９８では、ケース６に溝部１００を形成するとともに、ケース４の２箇所に溝部１００と一致する溝部１００Ａ、１００Ｂが形成されている。これら溝部１００−１００Ａまたは溝部１００−１００Ｂに跨がって摺動するロックアーム１０２が摺動可能に設けられている。
【００５２】
図１０に示すように、ロックアーム１０２が引き出され、溝部１００Ａ間から外れると、ケース４、６間の回転防止が解除された状態である。すなわち、回転可能状態である。この状態でケース６を回転し、横置きから縦置き、すなわち、面部３８を機器ケース２の端面側、ＤＣケーブル２２が機器ケース２の面部３６側から引き出される縦置き可能な形態に変更でき、また、その状態から図１０に示す形態に変更できる。
【００５３】
斯かる構成によれば、図１１のＡに示すように、ケース４、６の溝部１００−１００Ａに合致させ、ロックアーム１０２をケース６側からケース４側に摺動させると、ケース４、６間がロックアーム１０２によって回転防止状態にロックされる。図１１のＡは、機器ケース２の横置き時の回転ロック状態を示している。
【００５４】
ケース６の面部４４には溝部１０６が形成されているので、ロックアーム１０２のハンドル部１０４を溝部１０６内に収納でき、面部４４内に収めることができる。
【００５５】
また、縦置き可能な状態にケース４を回転させた状態においても、図１１のＢに示すように、回転ロック状態にすることができる。図１１のＢは縦置き時の機器ケース２の回転ロック状態を示している。この場合は、ケース４、６の溝部１００−１００Ｂを合致させ、ロックアーム１０２をケース６側からケース４側に摺動させ、ロックアーム１０２をケース４、６間に跨がって配置するので、ケース４、６間がロックアーム１０２によって回転防止状態にロックすることができる。そして、ロックアーム１０２のハンドル部１０４は、ケース６の面部４４に形成された溝部１０６に収納され、面部４４内に収めることができる。
【００５６】
このように、回転ロック機構９８を備えれば、回転可能に構成されたケース４、６の回転が必要時以外に阻止されるので、機器ケース２のケース６の不用意な回転を防止でき、機器ケース２の安定化など、利便性を高めることができる。
【００５７】
〔第５の実施の形態〕
【００５８】
機器ケース２の連結機構について、図１２を参照する。図１２は機器ケース間の連結機構の一例を示している。図１２において、図１と同一部分には同一符号を付してある。
【００５９】
複数の機器ケース２を併置する場合には、図１２に示すように、機器ケース２の連結部として連結機構１１０を備えることにより、機器ケース２間を連結する構成とすればよい。この連結機構１１０は、連結板１１２で機器ケース２の面部４２間および面部３８間を連結する構成である。連結板１１２には固定ねじ１１４を貫通させる貫通孔１１６が形成され、各貫通孔１１６に対応してケース４の面部４２、ケース６の面部３８の幅方向にねじ孔１１８が形成されている。
【００６０】
斯かる構成によれば、併置される機器ケース２を幅方向に配置し、各機器ケース２の面部４２間、面部３８間に配置した連結板１１２を固定ねじ１１４で各機器ケース２に固定すればよい。このように、併置される複数の機器ケース２を連結すれば、複数の機器ケース２を単一化された装置に整理することができ、乱雑状態を解消することができる。
【００６１】
〔第６の実施の形態〕
【００６２】
電子機器について図１３を参照する。図１３は電子機器の一例を示している。図１３において、図１と共通部分には共通符号を付してある。
【００６３】
このＡＣアダプタ１６０は本開示の電子機器の一例である。図１３に示すＡＣアダプタ１６０は、既述の機器ケース２（図１）を外装ケースに用いている。このＡＣアダプタ１６０では、既述のＡＣ／ＤＣコンバータ回路５４がケース４に搭載されている。ＡＣ／ＤＣコンバータ回路５４は回路基板１２０に既述のトランス５６、整流回路５８および平滑回路６２を実装している。回路基板１２０はケース４に固定され、既述のＡＣアダプタ本体１８の外装部材がケース４によって構成されている。
【００６４】
斯かる構成によれば、ＡＣアダプタ１６０を第１ないし第５の実施の形態で示したように、横置きや縦置きで使用することができ、ＡＣアダプタ１６０の設置面積の縮小化とともに利便性を高めることができる。
【００６５】
この実施の形態においても、第３の実施の形態（図９）のように構成してもよく、第４の実施の形態で示したように、回転ロック機構９８を備えてもよく、また、第５の実施の形態のように連結機構１１０を備えてもよく、同様の効果が得られる。
【００６６】
〔他の実施の形態〕
【００６７】
(1) 第１ないし第５の実施の形態では、機器ケース２に収納される機器として、ＡＣアダプタを例示したが、これに限定されない。ＡＣアダプタ以外の機器であってもよい。たとえば、ハードディスク装置などの各種の電子機器を収納し、横置きまたは縦置きに変更することができる。
【００６８】
(2) 第６の実施の形態では、電子機器としてＡＣアダプタを例示したが、これに限定されない。スイッチングレギュレータ、ハードディスク装置、情報端末装置、電子ゲーム機器、ラジオ受信機などの電子機器であってもよく、横置きまたは縦置きに変更することができる。
【００６９】
(3) 第１の実施の形態において、ＡＣアダプタの回路として一例であるＡＣ／ＤＣコンバータを例示したが、これに限定されない。起動回路などを備えてもよく、ＤＣ／ＤＣコンバータなどであってもよい。
【００７０】
(4) 上記実施の形態の防護リング２５に代え、図１４に示すように、ノイズ吸収リング１２２を設置してもよい。ノイズ吸収リング１２２にはたとえば、金属酸化物の強磁性体で形成されたフェライトコアを用いればよい。斯かる構成によれば、ケーブル２０、２２から発生する高周波ノイズがノイズ吸収リング１２２に吸収され、ノイズを抑制することができる。このノイズ吸収リング１２２は、図１３に示すＡＣアダプタ１６０などの電子機器に設置してもよい。
【００７１】
(5) 各ケース４、６は、合成樹脂板または金属板で形成することができるが、合成樹脂板で形成した場合、図１５に示すように、各ケース４、６の内壁部にスパッタなどの処理で金属膜１２４を設置し、シールド機能を付加してもよい。この金属膜１２４は、図１３に示すＡＣアダプタ１６０などの電子機器に設置してもよい。金属膜１２４に代え、合成樹脂中に金属粉や金属片を混入させた合成樹脂でケース４、６を形成してもよい。
【００７２】
(6) 上記実施の形態では、傾斜面部８、１２の傾斜角度θを中心軸Ｏ1 に対して４５〔度〕に設定しているが、４５〔度〕を含む角度範囲に設定すればよく、４５〔度〕に限定されない。たとえば、傾斜角度θ＝６０〔度〕に設定してもよい。この場合、傾斜面部８、１２に設置された連結回転機構部の中心軸Ｏ2 は上記実施の形態と同様に傾斜面部（すなわち、摺動面部）と直交する構成とすればよい。
【００７３】
次に、以上述べた実施例を含む実施の形態に関し、更に以下の付記を開示する。以下の付記に本発明が限定されるものではない。
【００７４】
（付記１）  傾斜面部に連結軸部を備え、第１の部材が収納される第１のケースと、
前記傾斜面部と平行に傾斜面部を備え、前記連結軸部を介して前記第１のケースと連結され、前記第１の部材と接続された第２の部材が挿通する第２のケースと、
を備えることを特徴とする、機器ケース。
【００７５】
（付記２）  前記連結軸部は、前記第１のケース又は前記第２のケースに設けられた回転軸または該回転軸を支持する軸受部であることを特徴とする、付記１に記載の機器ケース。
【００７６】
（付記３）  前記第１のケース又は前記第２のケースは、前記傾斜面部と４５度又は該４５度を含む角度範囲の傾斜角度を設定した着座面を備えることを特徴とする、付記１又は２に記載の機器ケース。
【００７７】
（付記４）  前記連結軸部は、前記第１の部材または前記第２の部材が挿通する中空軸部を備えることを特徴とする、付記１ないし３の何れかに記載の機器ケース。
【００７８】
（付記５）  前記第１のケースまたは前記第２のケースの何れか一方または双方は、前記第１の部材または前記第２の部材を挿入する挿入口と、
前記窓部を開閉する蓋部と、
を備えることを特徴とする、付記１ないし４の何れかに記載の機器ケース。
【００７９】
（付記６）  前記連結軸部で回転可能な前記第１のケースと前記第２のケースとを係止させるストッパ機構を備えることを特徴とする、付記１ないし５の何れかに記載の機器ケース。
【００８０】
（付記７）  前記第１のケースまたは前記第２のケースの何れか一方または双方に他の第１のケースまたは第２のケースと着脱する連結部を備えることを特徴とする、付記１ないし６のいずれかに記載の機器ケース。
【００８１】
（付記８）前記第１の部材はＡＣアダプタ本体、前記第２の部材は前記ＡＣアダプタ本体と接続されたケーブルであることを特徴とする、付記１ないし７のいずれかに記載の機器ケース。
【００８２】
（付記９）  機器本体と、
前記機器本体と接続されたケーブルと、
傾斜面部に連結軸部を備え、前記機器本体が収納される第１のケースと、
前記傾斜面部と平行に傾斜面部を備え、前記連結軸部を介して前記第１のケースと回転可能に連結され、前記ケーブルが挿通する第２のケースと、
を備えることを特徴とする、電子機器。
【００８３】
（付記１０）  前記機器本体は、交流を変圧する変圧手段、前記交流又は前記変圧手段で変圧された交流を整流する整流手段、または変動成分を平滑する平滑手段の何れかまたはこれらの２以上を備えることを特徴とする、付記９に記載の電子機器。
【００８４】
以上説明したように、機器ケースおよび電子機器の最も好ましい実施の形態などについて説明したが、本発明は、上記記載に限定されるものではなく、特許請求の範囲に記載され、または発明を実施するための形態に開示された発明の要旨に基づき、当業者において様々な変形や変更が可能であることは勿論であり、斯かる変形や変更が、本発明の範囲に含まれることは言うまでもない。
【符号の説明】
【００８５】
２  機器ケース
４  第１のケース
６  第２のケース
８  傾斜面部
１０  連結軸部
１２  傾斜面部
１６  ＡＣアダプタ
１８  ＡＣアダプタ本体
２０  ＡＣケーブル
２２  ＤＣケーブル
２４  挿通孔
２８、３０  挿通孔
３２  ＤＣプラグ
３４  面部
４６  中空軸部
４８  軸受部
５０  フランジ部
６８  ノートＰＣ
９０  ロック機構
９８  回転ロック機構
１１０  連結機構
１２０  回路基板
１６０  ＡＣアダプタ
【図１】
2012185909.tif 000003
【図２】
2012185909.tif 000004
【図３】
2012185909.tif 000005
【図４】
2012185909.tif 000006
【図５】
2012185909.tif 000007
【図６】
2012185909.tif 000008
【図７】
2012185909.tif 000009
【図８】
2012185909.tif 000010
【図９】
2012185909.tif 000011
【図１０】
2012185909.tif 000012
【図１１】
2012185909.tif 000013
【図１２】
2012185909.tif 000014
【図１３】
2012185909.tif 000015
【図１４】
2012185909.tif 000016
【図１５】
2012185909.tif 000017